(57)【要約】【課題】補助便座を便座や便器桶に十分に固定でき、補助便座を使用した際に便座や便器桶に軽微な傷がつくことを防ぐことのできる幼児用補助便座を提供することを課題とする。【解決手段】洋式便器の便座に取付可能な補助便座であって、前記補助便座は、硬質樹脂で下方が開口した頂部平坦山形を断面とする環形状に形成され、前記補助便座の外縁下端を覆う軟質樹脂となる周縁パッキンを備え、前記補助便座の裏面には、前記便座の上面と当接する第一脚部と、前記便座の内法に合わせて摺動可能であって該内法と当接する第二脚部と、Ｌ字型に形成され該Ｌ字型の水平面が前記便座の裏面と当接する第三脚部とを備えた。【選択図】図１
0003125037.tif 000002
【実用新案登録請求の範囲】
【請求項１】
洋式便器の便座に取付可能な補助便座であって、前記補助便座は、硬質樹脂で下方が開口した頂部平坦山形を断面とする環形状に形成され、前記補助便座の外縁下端を覆う軟質樹脂となる周縁パッキンを備え、前記補助便座の裏面には、前記便座の上面と当接する第一脚部と、前記便座の内法に合わせて摺動可能であって該内法と当接する第二脚部と、Ｌ字型に形成され該Ｌ字型の水平面が前記便座の裏面と当接する第三脚部とを備えたことを特徴とした補助便座。
【請求項２】
請求項１において、前記第一脚部、前記第二脚部及び前記第三脚部には、洋式便器の便座を保護する樹脂部材を備えたことを特徴とした補助便座。
【請求項３】
請求項１又は２において、前記第三脚部は、回動自在とし、前記便座の厚みに応じて適宜に圧接するスプリングを備えたことを特徴とした補助便座。
【請求項４】
請求項１乃至３のいずれか１項において、前記補助便座には、吊り下げ可能なフックを回動自在に備えたことを特徴とした補助便座。
【請求項５】
請求項１乃至４のいずれか１項において、前記補助便座の内縁に、温水洗浄機用の開口を備えたことを特徴とした補助便座。
【請求項６】
請求項１乃至５のいずれか１項において、前記補助便座には、使用の際に幼児が把持するための把持部を更に備え、前記補助便座の先端部に把持部を取り付けるための把持部取付凹部を有し、前記把持部を前後方向のいずれか一方の向きに着脱を自在としたことを特徴とした補助便座。
【請求項７】
請求項６において、前記把持部取付凹部は略楕円状に形成し、その周縁のそれぞれ対向する位置に切欠部と、その下面に開口部とを備え、前記把持部の下面には前記開口部に嵌合可能な嵌合部を備え、把持部の下面周縁には前記切欠部と係合し出没可能な係合爪部をそれぞれ対向する位置に設け、前記係合爪部は、前記嵌合部に連動して出没可能としたことを特徴とした補助便座。
【請求項８】
請求項６又は７において、前記把持部の外観を所望の形象物の形状に形成すると共に、把持部の背面には音声ＩＣにより音声を出力する音声出力手段を備えたことを特徴とする補助便座。
【考案の詳細な説明】
【技術分野】
【０００１】
本考案は、幼児用の補助便座に関するものである。
【背景技術】
【０００２】
従来、御虎子と呼ばれる室内用に持ち運びできる幼児用簡易便器が知られており、この御虎子は、幼児のオムツ離れを早めるために使用したり、また大人用便器を使用することができない幼児が使用したりするものである。そして、親は幼児に幼児用簡易便器を使用させながら、幼児の成長に合わせて徐々に大人用便器での使用に慣らせていくようにしている。
【０００３】
しかし、大人用便器となる洋式便器を使用すると便座が大きすぎる為に幼児は座ることが出来ない場合があり、このような場合には、便座に小さな幼児用の補助便座を取り付けて使用している。このように、幼児の成長過程に於いては、御虎子と呼ばれる幼児用簡易便器や、洋式便器の便座に取り付けて使用する幼児用の補助便座が必要であった。
【０００４】
従来、実開平６−６６４９５号公報「幼児用便器」となる補助便座及び、該補助便座と便器桶を組合せした幼児用簡易便器が開示されている。この考案は、幼児自身が便座に乗り降りする際に、便座に取り付けてある手持部が邪魔になるので、この手持部を取り外し可能としたものである。また近年、洋式便器の便座の形状（Ｕ字型やＯ字型など）が多様化し、この「幼児用便器」の考案では、補助便座を洋式便器に取付した場合において、十分に補助便座を固定できない場合や、十分に固定されていない状態で補助便座を使用することよって洋式便器の便座に細かい傷がつくことが稀にあった。
【特許文献１】実開平６−６６４９５号公報
【考案の開示】
【考案が解決しようとする課題】
【０００５】
そこで、本考案は、上記従来技術の問題点に斯かる実情に鑑みなされたもので、補助便座を便座や便器桶に十分に固定でき、補助便座を使用した際に便座や便器桶に軽微な傷がつくことを防ぐことのできる幼児用補助便座を提供することを課題とする。
【課題を解決するための手段】
【０００６】
請求項１に記載の考案は、洋式便器の便座に取付可能な補助便座であって、前記補助便座は、硬質樹脂で下方が開口した頂部平坦山形を断面とする環形状に形成され、前記補助便座の外縁下端を覆う軟質樹脂となる周縁パッキンを備え、前記補助便座の裏面には、前記便座の上面と当接する第一脚部と、前記便座の内法に合わせて摺動可能であって該内法と当接する第二脚部と、Ｌ字型に形成され該Ｌ字型の水平面が前記便座の裏面と当接する第三脚部とを備えたことを特徴とする。
【０００７】
請求項２に記載の考案は、請求項１において、前記第一脚部、前記第二脚部及び前記第三脚部には、洋式便器の便座を保護する樹脂部材を備えたことを特徴とする。
【０００８】
請求項３に記載の考案は、請求項１又は２において、前記第三脚部は、回動自在とし、前記便座の厚みに応じて適宜に圧接するスプリングを備えたことを特徴とする。
【０００９】
請求項４に記載の考案は、請求項１乃至３のいずれか１項において、前記補助便座には、吊り下げ可能なフックを回動自在に備えたことを特徴とする。
【００１０】
請求項５に記載の考案は、請求項１乃至４のいずれか１項において、前記補助便座の内縁に、温水洗浄機用の開口を備えたことを特徴とする。
【００１１】
請求項６に記載の考案は、請求項１乃至５のいずれか１項において、前記補助便座には、使用の際に幼児が把持するための把持部を更に備え、前記補助便座の先端部に把持部を取り付けるための把持部取付凹部を有し、前記把持部を前後方向のいずれか一方の向きに着脱を自在としたことを特徴とする。
【００１２】
請求項７に記載の考案は、請求項６において、前記把持部取付凹部は略楕円状に形成し、その周縁のそれぞれ対向する位置に切欠部と、その下面に開口部とを備え、前記把持部の下面には前記開口部に嵌合可能な嵌合部を備え、把持部の下面周縁には前記切欠部と係合し出没可能な係合爪部をそれぞれ対向する位置に設け、前記係合爪部は、前記嵌合部に連動して出没可能としたことを特徴とする。
【００１３】
請求項８に記載の考案は、請求項６において、前記把持部取付凹部は略楕円状に形成し、その周縁のそれぞれ対向する位置に切欠部と、その下面に開口部とを備え、前記把持部の下面には前記開口部に嵌合可能な嵌合部を備え、把持部の下面周縁には前記切欠部と係合し出没可能な係合爪部をそれぞれ対向する位置に設け、前記係合爪部は、前記嵌合部に連動して出没可能としたことを特徴とする。
【考案の効果】
【００１４】
請求項１の考案によれば、洋式便器の便座に取付可能な補助便座であって、補助便座は、硬質樹脂で下方が開口した頂部平坦山形を断面とする環形状に形成され、補助便座の外縁下端を覆う軟質樹脂となる周縁パッキンを備え、補助便座の裏面には、便座の上面と当接する第一脚部と、便座の内法に合わせて摺動可能であって該内法と当接する第二脚部と、Ｌ字型に形成され該Ｌ字型の水平面が便座の裏面と当接する第三脚部とを備えることによって、補助便座を便座や便器桶に十分に固定でき、補助便座を使用した際に便座や便器桶に軽微な傷がつくことを防ぐことのできる幼児用補助便座を提供することができる。
【００１５】
請求項２の考案によれば、第一脚部、第二脚部及び第三脚部には、洋式便器の便座を保護する軟質樹脂となる樹脂部材を更に備えることによって、補助便座を使用した際に便座や便器桶に軽微な傷がつくことを防ぐことができる。
【００１６】
請求項３の考案によれば、第三脚部は、回動自在とし、便座の厚みに応じて適宜に圧接するスプリングを備えることによって、Ｏ字型やＵ字型に形成された便座に対して補助便座を確実に固定することができる。
【００１７】
請求項４の考案によれば、補助便座には、吊り下げ可能なフックを回動自在に備えることによって、補助便座を壁などに吊り下げて収納することができる。
【００１８】
請求項５の考案によれば、補助便座の内周面には、温水洗浄機用の開口を備えることによって、温水洗浄機の動作を妨げないようにすることができる。
【００１９】
請求項６の考案によれば、補助便座には、使用の際に幼児が把持するための把持部を更に備え、前記補助便座の先端部に把持部を取り付けるための把持部取付凹部を備えることによって、幼児は安定した姿勢で使用することができる。
【００２０】
請求項７の考案によれば、把持部取付凹部は楕円状に形成し、その周縁のそれぞれ対向する位置に切欠部と、その下面に開口部とを備え、把持部の下面には開口部に嵌合可能な嵌合部を備え、把持部の下面周縁には前記切欠部と係合し出没可能な係合爪部をそれぞれ対向する位置に設け、前記係合爪部は、前記嵌合部に連動して出没可能とすることによって、該把持部を確実に固定することができる。
【００２１】
請求項８の考案によれば、把持部の外観を所望の形象物の形状に形成すると共に、把持部の背面には音声ＩＣにより音声を出力する音声出力手段を備えることによって、幼児に対して趣向の高い補助便座とすることができる。
【考案を実施するための最良の形態】
【００２２】
洋式便器の便座に取付可能な補助便座であって、前記補助便座は、硬質樹脂で下方が開口した頂部平坦山形を断面とする環形状に形成され、前記補助便座の外縁下端を覆う軟質樹脂となる周縁パッキンを備え、前記補助便座の裏面には、前記便座の上面と当接する第一脚部と、前記便座の内法に合わせて摺動可能であって該内法と当接する第二脚部と、Ｌ字型に形成され該Ｌ字型の水平面が前記便座の裏面と当接する第三脚部とを備えている。また前記第一脚部、前記第二脚部及び前記第三脚部には、洋式便器の便座を保護する樹脂部材を有し、前記第三脚部は、回動自在とし、前記便座の厚みに応じて適宜に圧接するスプリングを備え、前記補助便座の内縁部には、温水洗浄機用の開口が形成されている。
【００２３】
また、前記補助便座には、吊り下げ可能なフックを回動自在に備えたり、使用の際に幼児に把持され、所望の形象物の形状に形成された把持部を前記補助便座の先端に着脱自在に備えたり、前記把持部には音声ＩＣにより音声を出力する音声出力手段を備えたりすることもある。
【実施例１】
【００２４】
以下、図面を参照して本考案に係る補助便座の一実施例を詳細に説明する。図１は、本考案の補助便座の外観を示す斜視図面である。図２は、該補助便座の裏面を示す斜視図面である。この補助便座は、図８に示すように、洋式用便器８０の便座７６に、補助便座本体１０を載置固定することによって、幼児が、この洋式用便器８０で使用できるようにするものである。
【００２５】
補助便座は、補助便座本体１０と、該補助便座本体１０に着脱自在とされた把持部６０で構成されている。まずは、補助便座本体１０の説明を行う。補助便座本体１０は、硬質樹脂で下方が開口した頂部平坦山形を断面とした環形状で、Ｏ字型形状に形成され、頂部となる上面部１１の外縁から下方へ垂下した外縁部１２と、上面部１１の内縁から外縁部１２より長く下方へと垂下した内縁部１３からなっている。また、補助便座本体１０の上面部１１の内側には、補助便座本体１０の内縁部１３と外縁部１２を結ぶリブ１４が複数形成され、補助便座本体１０の剛性が増すようになっている。また、補助便座本体１０の外縁部１２の下端を覆う周縁パッキン２４を備えている。この周縁パッキン２４は、熱可塑性エラストマーとなる樹脂素材で形成され、補助便座本体１０の外縁部１２の端部が便座７６と当接する場合において、軽微な傷がつくことを回避できるようになっている。
【００２６】
また補助便座本体１０の上面部１１の前方には、図６に示すように把持部取付凹部１８となる楕円状の凹部が形成され、その凹部の周縁のそれぞれ対向する位置に矩形の穴となる切欠部２０が形成され、また、その凹部の下面に一対の矩形の穴となる開口部２２が形成されている。この切欠部２０は、後述する把持部６０の係合爪部７２と係合し、開口部２２は、把持部６０の嵌合部６２と嵌合するようになっており、把持部６０は、この把持部取付凹部１８に、前又は後の方向に向けて着脱自在となっている。
【００２７】
また、補助便座本体１０の内縁部１３の後方部分には、温水洗浄機用の半円状の開口１５が形成され、温水洗浄機付きの便器の便座７６に載置固定した場合においても、温水洗浄機の動作を妨げないようにしているものである。
【００２８】
そして、補助便座本体１０の上面部１１の内側には、図２に示すように便座７６の上面と当接する第一脚部２６と、便座７６の内法に合わせて摺動可能であって該内法と当接する第二脚部３８と、Ｌ字型に形成され便座７６の裏面を圧接し回動自在とする第三脚部４８とで構成され、該第二脚部３８は、後述するサイズ調整部３０によって、その位置を調整可能とされている。補助便座本体１０は、これら第一脚部２６、第二脚部３８及び第三脚部４８を用いることによって、補助便座本体１０を便座７６に確実に載置固定させることができるようになっている。これら補助便座本体１０を便座７６に載置固定する際に使用する第一脚部２６、第二脚部３８、第三脚部４８の説明を行う。
【００２９】
まず、第一脚部２６の説明を行う。この第一脚部２６は、図２に示すように補助便座本体１０の裏面の四方に形成され、図３に示すように補助便座本体１０の上面部１１の内側に固着され硬質樹脂で略円柱形状に形成された第一脚部取付部１６と、熱可塑性エラストマーとなる樹脂素材で円柱形状に形成された第一脚部弾性部材２８で構成されている。第一脚部弾性部材２８は、第一脚部取付部１６の端面に螺子によって固着されている。この第一脚部弾性部材２８を第一脚部取付部１６に固着することによって、第一脚部２６は、補助便座本体１０の外縁部１２より僅かに突出し、補助便座本体１０を便座７６に載置固定する際に便座７６の上面と当接し、熱可塑性エラストマーとなる樹脂素材と便座７６の上面との摩擦力によって、前後左右方向へのずれを防止している。
【００３０】
次に、第二脚部３８の説明を行う。この第二脚部３８は、図２に示すように第一脚部２６の近傍に位置し、左右に２箇所に設けられている。この第二脚部３８は、図４に示すようにサイズ調整部３０によって、便座７６の内法に応じて摺動可能とされ、位置を調整できるようされている。この第二脚部３８の位置の調整には、サイズ調整部３０と、摺動部材４６と、圧縮バネとなるスプリング４４を用いて調整可能とされている。
【００３１】
サイズ調整部３０は、下面が開口し、中空に形成された略直方体形状に形成され、サイズ調整部３０の上面中央に、サイズ調整部３０の長手方向と平行に開口した長孔３２が形成されている。また、このサイズ調整部３０の内側には、歯部を有する第一ラック３４と、同じく歯部を有する該第一ラック３４より下方に向けた長さが短い第二ラック３６が対向するように形成されている。
【００３２】
次に、第二脚部３８は、略円筒形状に形成され、円筒の下端には鍔状に膨出した歯車４０が形成されている。第二脚部３８は、サイズ調整部３０の長孔３２から突設され、第二脚部３８の下端の歯車４０は、サイズ調整部３０の第一ラック３４及び第二ラック３６と、それぞれ歯合する。この第二脚部３８の歯車４０が、第一ラック３４及び第二ラック３６と歯合した状態では、第二脚部３８は、摺動不能及び回動不能となっている。
【００３３】
また、第二脚部３８の上方には、熱可塑性エラストマーとなる樹脂素材で円筒形状に形成された弾性体４２が固着されている。これにより、便座７６の内法に第二脚部３８を当接させた場合において、弾性体４２と便座７６の内法との摩擦によって、補助便座本体１０を固定できるようになる。更に、第二脚部３８を便座７６の内法に当接させても、便座７６の内法に軽微な傷がつくことを防止している。
【００３４】
そして、摺動部材４６は、第二脚部３８の円筒の内径より僅かに短径に形成された棒形状で、棒の下端には、矩形状の薄板が固着されている。この摺動部材４６の棒の周囲にスプリング４４を巻装させた後、摺動部材４６の上部を第二脚部３８の下方から該円筒内に挿嵌している。第二脚部３８は、このスプリング４４によって常に上方へ押圧するように付勢されている。
【００３５】
この第二脚部３８の位置を調整する方法を説明する。まず第二脚部３８を下方へ押圧すると、第二脚部３８の歯車４０は、第一ラック３４より下方に向けた長さが短い第二ラック３６との噛合状態が解除される。第二脚部３８の歯車４０は、第一ラック３４との歯合状態は継続されるものの、第二脚部３８は回動可能となる。これにより、第二脚部３８は、第二脚部３８を回動させることによって、サイズ調整部３０の上面中央に形成された長穴に沿って摺動可能となる。また、第二脚部３８を摺動させ、位置を調整した後、第二脚部３８の下方への押圧された状態を解除することにより、スプリング４４の付勢力によって、第二脚部３８は上方へと付勢され、第二脚部３８の歯車４０は、第二ラック３６と再び歯合状態となる。したがって第二脚部３８は、再び摺動不能及び回転不能状態となり、第二脚部３８は固定されるようになる。このように、例えば、補助便座本体１０を便座７６に載置した後、便座７６の内法と当接するまで第二脚部３８の位置を調整することによって、各種サイズの異なる便座７６に補助便座本体１０を固定することが可能となる。
【００３６】
次に、第三脚部４８の説明を行う。この第三脚部４８は、図２に示すように第一脚部２６の近傍に位置し、左右２箇所に設けられ、図５に示すようにスプリング５４及びスプリング抑止部材５６を用いて、第三脚部取付部１７に回動自在及び伸縮自在に取り付けられている。この第三脚部４８は、Ｌ字型に形成され、補助便座本体１０を便座７６に載置固定する際に、便座７６の形状に応じて第三脚部４８を回動させたり、便座７６の厚さに応じて第三脚部４８を伸縮させたりして、便座７６の裏面と第三脚部４８を圧接させて固定するものである。
【００３７】
第三脚部取付部１７は、補助便座本体１０の上面部１１の内側に固着され、硬質樹脂で略円柱形状に形成されている。
【００３８】
また、第三脚部４８は、内筒及び外筒からなる２重筒形状に形成されている。この内筒は、外筒の下端近傍から中央近傍までの長さに形成され、外筒は、第三脚部取付部１７の直径よりも僅かに短径に形成されると共に、外筒の中央近傍から上端にかけて筒の半分が切欠されている。そして外筒の上端には、該切欠と対称となる方向に略Ｄ字型状に膨出した引掛部５０が形成されており、第三脚部４８は、引掛部５０を水平としたＬ字型形状に形成されている。この第三脚部４８の下端は、略円柱形状の第三脚部取付部１７を覆うように、回動自在及び伸縮自在に挿嵌されている。
【００３９】
また、第三脚部４８の内側面には、熱可塑性エラストマーとなる樹脂素材で形成された板状の弾性体５２が固着され、この第三脚部４８と、便座７６の裏面や内法に軽微な傷がつくことを防止し引掛部５０の水平方向長さを十分に長くしている。
【００４０】
次に、スプリング抑止部材５６は、第三脚部４８の内筒の内径よりも僅かに短径となる円筒形状に形成され、上端に円板状の鍔部が形成されている。そして、スプリング５４は、円筒状に巻かれた圧縮バネで、スプリング抑止部材５６の円筒の周囲に巻装されている。このスプリング抑止部材５６は、第三脚部４８の内筒内に挿嵌し、螺子により螺子止めされている。スプリング抑止部材５６の円筒の周囲に巻装されているスプリング５４は、第三脚部４８を常に下方へと付勢しており、第三脚部４８は、第三脚部４８の内筒の上端から、スプリング抑止部材５６の円板状の鍔部までの長さの範囲で、上下方向に伸縮自在となっている。
【００４１】
次に、図１及び図６を用いて把持部６０の説明を行う。把持部６０は、キャラクターや、動物などの所望の形象物を形象した形に形成され、把持部６０の上部には曲線状のハンドル部６１を備えている。幼児が使用の際にこれを把持することができ、幼児は、安定した姿勢で、補助便座本体１０を使用することができるようになっている。
【００４２】
この把持部６０の下面には一対の嵌合部６２を回動自在に軸着されている。この嵌合部６２は、軸６８の両端に矩形状の薄板を固着した形に形成され、一方の薄板となる係合板６４は、把持部６０の外側に突設されている。この嵌合部６２の係合板６４を、把持部取付凹部１８の底面に形成された一対の開口部２２に挿嵌し、９０度回転させた時に、係合板６４は、開口部２２と係合する。また、その状態から更に９０度回転させると、嵌合部６２の係合板６４と開口部２２の係合状態は解除される。
【００４３】
また把持部６０の内部（図７を参照）に配設された他方の薄板となる作動板６６の近傍には、係合爪部７２を先端に有する移動片７０が摺動自在に備えられており、この移動片７０が摺動を行うことにより、係合爪部７２は出没可能となっている。また、この移動片７０は、スプリング７４の作用により、常に係合爪部７２が埋没する方向となる作動板６６方向に付勢されている。係合板６４を９０度回転させた時に、作動板６６も同様に９０度回転し、この矩形に形成された作動板６６によって、移動片７０は、外側へ押圧され、係合爪部７２は、外方へと摺動し突出する。また、嵌合部６２の係合板６４を、その状態から更に９０度回転させると、作動板６６からの押圧が解除され、移動片７０は、スプリング７４の付勢力によって、作動板６６方向へと摺動し、係合爪部７２は、埋没するようになっている。この係合爪部７２を突出した状態にすることによって、把持部取付凹部１８に形成された切欠部２０と嵌合するようになっている。このように構成することにより、把持部６０は、補助便座本体１０に形成された把持部取付凹部１８に確実に固定することができる。
【００４４】
そして、把持部６０には、図示しないが音声ＩＣチップ及び音声出力手段が内設されている。この把持部６０内の音声ＩＣチップより音声情報が出力され、出力された音声情報に応じて音声出力手段より、音声出力されるようになっている。また、図示しないが把持部６０の背面に、音声ボタンＡ、Ｂ及びＣが設けてあり、各ボタンを押下すると、音声ＩＣチップより異なる音声情報が出力されるようになっている。例えば、音声ボタンＡを押下した場合には、音声ＩＣチップは「上手にできたね」「ちゃんとできるかな？」「えらいえらい」などの音声情報を出力し、音声ボタンＢを押下した場合には、楽曲に関する音声情報が出力され、音声ボタンＣを押下した場合には、水の流れる音となる効果音が音声情報として出力されるようになっている。
【００４５】
このように、把持部６０を幼児が好むキャラクターや、動物などの所望の形象物を形象した形に形成したり、幼児が好む音声などを出力したりすることによって、幼児は、遊戯をするかのように、喜んで補助便座に着座させることができる。この着座させた状態で、補助便座を使用させることによって、幼児のオムツ離れを早めるためトレーニングに役立つようになっている。
【００４６】
図８と図９を用いて、補助便座本体１０を、大人用の洋式便器８０の便座７６に載置固定する例を説明する。まず補助便座本体１０を、載置固定する便座７６の中央に載置する。その後、便座７６を持ち上げ、便座７６の裏面側（図９を参照）より、補助便座本体１０の上面部１１の内側の四方に用意された第二脚部３８及び第三脚部４８のうち、第三脚部４８を回転させたり、伸縮させたりして、第三脚部４８のＬ字型形状の水平面となる引掛部５０が便座７６の裏面を圧接するように調整する。その後、第二脚部３８の位置を便座７６の内法と当接するように摺動させて位置を調整する。また、補助便座本体１０の上面部１１の内側の四方に設けた第一脚部２６は、便座７６の上面と当接し、便座７６の上面と第一脚部２６との摩擦力によって、補助便座本体１０が前後左右へと移動することを防止しており、第一脚部２６、第二脚部３８及び第三脚部４８の作用によって、補助便座本体１０は、どのようなサイズやどのような形状の便座７６であっても、載置固定することができる。
【００４７】
そして、第三脚部４８の引掛部５０を長くしているため、便座７６における内側断面形状が湾曲している場合においても引掛部５０の先端を便座７６の裏側に当接することができ、スプリング５４によって引掛部５０を便座に圧接させて補助便座本体１０の打ち上がりを阻止することができるものである。
【００４８】
また図１０は、補助便座本体１０を便器桶７８に取り付けた状態を示した図である。このように補助便座本体１０を便器桶７８に取り付けることによって、幼児用簡易便器として使用することもできる。
【００４９】
そして、図示しないが補助便座本体１０の全体を布製の補助便座カバーで覆うようにすることも可能であり、それによって、補助便座本体１０が直接汚れることを防止することもできる。この補助便座カバーが汚れてしまった場合には、汚れた補助便座カバーを洗浄することによって、補助便座本体１０を清潔に保つこともできる。また、補助便座本体１０が、汚れた場合においても、補助便座本体１０の全体を水洗い可能であって、常に清潔に保つことができるものである。
【００５０】
また、補助便座本体１０を使用しない時や、補助便座本体１０を水洗いなどで洗浄した時には、補助便座本体１０の裏面に回転自在に軸支されているフック５８を用いて、壁などに補助便座本体１０を吊るし、自然乾燥させることができる。
【００５１】
以上説明したように、補助便座を便座や便器桶に十分に固定でき、補助便座を使用した際に便座や便器桶に軽微な傷がつくことを防ぐことのできる幼児用補助便座を提供することが可能である。このように、好ましい実施例を挙げて本考案を説明したが、本考案はその実施例に限定されるものではなく、本考案の要旨の範囲内で種々に改変できる。
【図面の簡単な説明】
【００５２】
【図１】本考案の一実施例である補助便座の外観を示す斜視図面である。
【図２】本考案の一実施例である補助便座の裏面を示す斜視図面である。
【図３】本考案の一実施例である補助便座の第一脚部を示す図である。
【図４】本考案の一実施例である補助便座の第二脚部示す図である。
【図５】本考案の一実施例である補助便座の第三脚部を示す図である。
【図６】本考案の一実施例である補助便座の補助便座本体から把持部を取り外した状態を示す図である。
【図７】本考案の一実施例である補助便座の把持部の内部を示す図である。
【図８】本考案の一実施例である補助便座を便座に載置固定する様子を示した図である。
【図９】本考案の一実施例である便座に載置固定された補助便座の裏面を示す図である。
【図１０】本考案の一実施例である補助便座を幼児用簡易便器に載置固定した状態を示す図である。
【符号の説明】
【００５３】
１０  補助便座本体
１１  上面部
１２  外縁部
１３  内縁部
１４  リブ
１５  開口
１６  第一脚部取付部
１７  第三脚部取付部
１８  把持部取付凹部
２０  切欠部
２２  開口部
２４  周縁パッキン
２６  第一脚部
２８  第一脚部弾性部材
３０  サイズ調整部
３２  長孔
３４  第一ラック
３６  第二ラック
３８  第二脚部
４０  歯車
４２  弾性体  TPE
４４  スプリング
４６  摺動部材
４８  第三脚部
５０  引掛部
５２  弾性体
５４  スプリング
５６  スプリング抑止部材
５８  フック
６０  把持部
６１  ハンドル部
６２  嵌合部
６４  係合板
６６  作動板
６８  軸
７０  移動片
７２  係合爪部
７４  スプリング
７６  便座
７８  便器桶
８０  便器
【図１】
0003125037.tif 000003
【図２】
0003125037.tif 000004
【図３】
0003125037.tif 000005
【図４】
0003125037.tif 000006
【図５】
0003125037.tif 000007
【図６】
0003125037.tif 000008
【図７】
0003125037.tif 000009
【図８】
0003125037.tif 000010
【図９】
0003125037.tif 000011
【図１０】
0003125037.tif 000012